(57)【要約】  【課題】  網点原稿を読み取る場合にモアレの発生を防止することができる画像読み取り装置を提供する。  【解決手段】  画像読み取り装置１がラインセンサ１４（読み取り手段）で原稿画像を読み取って生成する電子画像の倍率は、ヘッド部１１、ミラー部１２及びレンズ部１３からなる光学系による光学ズームと電子ズームとで定められる。本発明の画像読み取り装置１は、光学ズームでの主走査方向の倍率の初期値を１００％から１％以上離れた値に設定しておき、最終的な倍率が１００％となるように電子ズームで補正する。これにより、網点原稿の網点の密度と光学系を通したＣＣＤの読み取り精度とが整数倍から大きくずれた状態となるので、網点原稿を読み取る場合にモアレの発生を防止することができる。【選択図】        図１
2005269433.tif 000002
【特許請求の範囲】
【請求項１】
原稿画像を主走査方向に一ライン分読み取り、主走査方向に略直交する副走査方向に前記原稿画像をライン単位で順次読み取ることによって電子画像を生成する読み取り手段と、該読み取り手段が原稿画像を読み取る際の倍率を光学的に規定する光学系と、前記読み取り手段が生成した電子画像の大きさを電子的に変更するデータ処理手段とを備える画像読み取り装置において、
前記光学系は、前記読み取り手段が原稿画像を読み取る際の主走査方向の倍率の初期値を１００％から１％以上離れた倍率に規定すべくなしてあり、
前記データ処理手段は、前記主走査方向の倍率の初期値の下で前記読み取り手段が生成した電子画像の主走査方向の大きさを、原稿画像に対して略１００％となるように変更すべくなしてあること
を特徴とする画像読み取り装置。
【請求項２】
前記光学系は、前記読み取り手段が原稿画像を読み取る際の副走査方向の倍率の初期値を略１００％に規定すべくなしてあることを特徴とする請求項１に記載の画像読み取り装置。
【請求項３】
前記光学系は、前記読み取り手段が原稿画像を読み取る際の主走査方向の倍率の初期値を１００％よりも大きい倍率に規定すべくなしてあることを特徴とする請求項１又は２に記載の画像読み取り装置。
【請求項４】
前記光学系は、
前記読み取り手段が原稿画像を読み取る際の倍率を、該倍率の初期値に特定の変更倍率を乗じた値に設定することが可能になしてあり、
更に、前記読み取り手段が原稿画像を読み取る際の主走査方向の倍率の初期値を、前記特定の変更倍率と異なった値に規定すべくなしてあること
を特徴とする請求項１乃至３のいずれかひとつに記載の画像読み取り装置。
【請求項５】
前記特定の変更倍率は、複数のＡ判サイズ間の比率、複数のＢ判サイズ間の比率、又はＡ判サイズとＢ判サイズとの比率であることを特徴とする請求項４に記載の画像読み取り装置。
【発明の詳細な説明】
【技術分野】
【０００１】
本発明は、原稿画像を読み取る画像読み取り装置に関し、より具体的には網点原稿を読み取る場合にモアレの発生を防止することができる画像読み取り装置に関する。
【背景技術】
【０００２】
複写装置及びスキャナ装置などに用いられている画像読み取り装置は、原稿画像を読み取った場合に原稿画像に比べて１００％の大きさの画像が生成されるように調整されている。また従来の画像読み取り装置は、原稿画像を拡大・縮小した画像を生成するように原稿画像を読み取ることが可能である。特に、Ａ４判サイズの原稿画像をＡ３判サイズに拡大する１４１％又はＡ３判サイズの原稿画像をＡ４判サイズに縮小する７０％等の頻繁に利用する特定の変更倍率で画像を拡大・縮小して読み取ることが容易に行われるように、画像読み取り装置は設定されている。
【０００３】
従来の画像読み取り装置は、光源から原稿画像に照射して反射してくる光をレンズを有する光学系を通過させてＣＣＤで検出することによって画像を読み取る。また従来の画像読み取り装置は、画像の大きさを決定するために、光学系において焦点距離を変更することによる光学ズームとＣＣＤで読み取ったデータを電子的に処理して画像を拡大・縮小することによる電子ズームとを併用している。特許文献１には、光学ズームと電子ズームとを併用する画像処理装置が開示されている。従来の画像読み取り装置は、等倍での画像読み取りにおける１００％の倍率が０．２％程度の誤差内に収まるように光学系が調整され、光学系の調整では制御しきれない倍率の誤差は電子ズームを用いて補正するように設定されている。
【特許文献１】特開２００２−７７５９６号公報
【発明の開示】
【発明が解決しようとする課題】
【０００４】
ところで、画像の読み取りには画像読み取り装置に備えられたＣＣＤを用いているので、どのような原稿画像を読み取る際でも読み取り精度は同一である。画像読み取り装置のＣＣＤには、読み取り精度が例えば６００ｄｐｉの物が用いられる。また、原稿画像として新聞などの網点原稿が用いられることがある。網点原稿の網点の密度は網点原稿の種類によって定められており、網点の密度が７５ｄｐｉ、１００ｄｐｉ、１２０ｄｐｉ等の網点原稿が通常用いられている。このように、網点原稿の網点の密度とＣＣＤの読み取り精度とが整数倍の関係となることがある。前述の如く、従来の画像読み取り装置は光学系による倍率が１００％から０．２％程度の誤差内でずれた状態に調整されているので、網点の密度とＣＣＤの読み取り精度とが整数倍の関係となっている網点原稿を画像読み取り装置が読み取る場合は、網点の密度と光学系を通したＣＣＤの読み取り精度とが整数倍から微妙にずれた関係となる結果、読み取った画像にモアレが発生する。このように、従来の画像読み取り装置では、網点原稿を読み取る場合にモアレが発生しやすいという問題がある。
【０００５】
本発明は、斯かる事情に鑑みてなされたものであって、その目的とするところは、光学系による画像読み取りの倍率の誤差に起因するモアレの発生を防止することができる画像読み取り装置を提供することにある。
【課題を解決するための手段】
【０００６】
本発明に係る画像読み取り装置は、原稿画像を主走査方向に一ライン分読み取り、主走査方向に略直交する副走査方向に前記原稿画像をライン単位で順次読み取ることによって電子画像を生成する読み取り手段と、該読み取り手段が原稿画像を読み取る際の倍率を光学的に規定する光学系と、前記読み取り手段が生成した電子画像の大きさを電子的に変更するデータ処理手段とを備える画像読み取り装置において、前記光学系は、前記読み取り手段が原稿画像を読み取る際の主走査方向の倍率の初期値を１００％から１％以上離れた倍率に規定すべくなしてあり、前記データ処理手段は、前記主走査方向の倍率の初期値の下で前記読み取り手段が生成した電子画像の主走査方向の大きさを、原稿画像に対して略１００％となるように変更すべくなしてあることを特徴とする。
【０００７】
本発明においては、光学ズームと電子ズームとを併用する画像読み取り装置は、光学ズームでの主走査方向の倍率の初期値を１００％から１％以上離れた値に設定しておき、最終的な倍率が１００％となるように電子ズームで補正する。
【０００８】
本発明に係る画像読み取り装置は、前記光学系は、前記読み取り手段が原稿画像を読み取る際の副走査方向の倍率の初期値を略１００％に規定すべくなしてあることを特徴とする。
【０００９】
また本発明においては、光学ズームの副走査方向の倍率の初期値は略１００％に設定している。
【００１０】
本発明に係る画像読み取り装置は、前記光学系は、前記読み取り手段が原稿画像を読み取る際の主走査方向の倍率の初期値を１００％よりも大きい倍率に規定すべくなしてあることを特徴とする。
【００１１】
また本発明においては、光学ズームの主走査方向の倍率の初期値を１００％よりも大きい値に設定している。
【００１２】
本発明に係る画像読み取り装置は、前記光学系は、前記読み取り手段が原稿画像を読み取る際の倍率を、該倍率の初期値に特定の変更倍率を乗じた値に設定することが可能になしてあり、更に、前記読み取り手段が原稿画像を読み取る際の主走査方向の倍率の初期値を、前記特定の変更倍率と異なった値に規定すべくなしてあることを特徴とする。
【００１３】
本発明に係る画像読み取り装置は、前記特定の変更倍率は、複数のＡ判サイズ間の比率、複数のＢ判サイズ間の比率、又はＡ判サイズとＢ判サイズとの比率であることを特徴とする。
【００１４】
更に本発明においては、原稿画像を読み取ることで生成する電子画像の倍率が、Ａ判サイズ間のサイズ変更、Ｂ判サイズ間のサイズ変更、又はＡ判サイズとＢ判サイズとの間のサイズ変更などの特定の変更倍率になるように光学ズームの倍率を設定可能であり、光学ズームの主走査方向の倍率の初期値は、特定の変更倍率とは異なった値に設定している。
【発明の効果】
【００１５】
本発明にあっては、画像読み取り装置における光学ズームの主走査方向の倍率の初期値を１００％から離しておくことによって、網点原稿の網点の密度と光学系を通したＣＣＤの読み取り精度とが整数倍から大きくずれた状態となるので、網点原稿を読み取る場合にモアレの発生を防止することができる。
【００１６】
また本発明にあっては、副走査方向の光学ズームの倍率の初期値を略１００％にしてあることによって、副走査方向の光学ズームの調整及び電子ズームによる倍率の補正を行う必要がないので、処理の負荷を軽減させることができる。
【００１７】
また本発明にあっては、光学ズームの主走査方向の倍率の初期値を１００％よりも大きい値に設定することによって、データの間引きによって電子ズームでの倍率の補正が可能となるので、電子ズームの処理を簡素化できると同時に電子画像の画質の劣化を抑制することができる。
【００１８】
更に本発明にあっては、光学ズームの主走査方向の倍率の初期値を、判サイズを変更するための変更倍率などの特定の変更倍率とは異なった値に設定することにより、どの変更倍率で原稿画像を読み取った場合であっても、初期値に変更倍率を乗じた最終的な光学ズームの倍率が１００％になることがないので、網点原稿を読み取る場合のモアレの発生を防止することができる等、本発明は優れた効果を奏する。
【発明を実施するための最良の形態】
【００１９】
以下本発明をその実施の形態を示す図面に基づき具体的に説明する。
図１は、本発明の画像読み取り装置１の構成例を示す模式的側断面図である。画像読み取り装置１は、原稿画像を載置するための透明ガラス板の原稿台１０が上面に設けられている。原稿台１０の下方には、図に対して奥行き方向である主走査方向にライン状に原稿台１０に対して光を照射する光源を含むヘッド部１１が設けられている。ヘッド部１１の光源から原稿台１０に対して照射された光は、原稿台１０に載置された原稿画像により反射される。画像読み取り装置１は、更に、複数のミラーからなり、原稿画像から反射された光を反射させて後述のラインセンサ１４の方向へ導くミラー部１２と、ミラー部１２から導かれた光を収束させるレンズ部１３と、レンズ部１３で収束された光を検出する光センサであるラインセンサ（読み取り手段）１４とを備えている。ラインセンサ１４は、多数のＣＣＤを主走査方向に配列して構成されている。またヘッド部１１、ミラー部１２及びレンズ部１３は、本発明に係る光学系を構成する。
【００２０】
ヘッド部１１は、主走査方向に直行する副走査方向へ原稿台１０の下面に沿って移動し、ミラー部１２もヘッド部１１の移動に伴って移動する。ラインセンサ１４は、原稿画像から反射された光を検出することにより、原稿画像の主走査方向の１ライン分を読み取り、ヘッド部１１の移動に伴って原稿画像の全体をライン単位で順次読み取る。
【００２１】
図２は、本発明の画像読み取り装置の処理系の機能構成を示す機能ブロック図である。画像読み取り装置１は、演算を行うＣＰＵ及び演算に伴う一時的な情報を記憶するＲＡＭ等からなる制御部２１を備えている。制御部２１には、ヘッド部１１を移動させるステッピングモータ等の、ヘッド部１１、ミラー部１２及びレンズ部１３を駆動する駆動部２２が接続されている。駆動部２２は、ヘッド部１１の移動を行い、またヘッド部１１、ミラー部１２及びレンズ部１３の内部の構成などを駆動することにより、原稿画像をラインセンサ１４が読み取る際の倍率を光学的に変更する光学ズームを行うことができる。駆動部２２は、ラインセンサ１４に検出させる光の焦点距離を変更することにより、主走査方向の光学ズームの倍率を変更することができる。また駆動部２２は、ヘッド部１１の移動による副走査の速度を変更することにより、副走査方向の光学ズームの倍率を変更することができる。制御部２１は、駆動部２２の動作を制御することにより、ヘッド部１１の移動及び光学ズームの倍率を制御する。
【００２２】
また制御部２１には、ラインセンサ１４とラインセンサ１４がライン単位で原稿画像を読み取って生成した電子画像を記憶する画像メモリ２４とが接続されている。制御部２１は、画像メモリ２４が記憶する電子画像の大きさを変更する電子ズームの処理を行い、本発明に係るデータ処理部として機能する。また制御部２１には、パーソナルコンピュータ（ＰＣ）等の外部の情報処理装置３に接続されたインタフェース部２６が接続されている。インタフェース部２６は、情報処理装置３から送信された原稿画像の読み取りの指示を受信し、制御部２１は、読み取りの指示に従って電子画像を生成する。また制御部２１は、生成された電子画像をインタフェース部２６に情報処理装置３へ送信させる。また制御部２１には、光学ズーム及び電子ズームの倍率などの設定情報を記憶するＲＯＭ２５が接続されている。制御部２１は、ＲＯＭ２５が記憶する設定情報に基づいて処理を行う。
【００２３】
原稿画像を読み取ることで生成された電子画像の大きさを変更する変更倍率として、利用頻度が高い複数の特定の変更倍率が予め定められている。図３は、予め定められている特定の変更倍率の例を示す図表である。原稿画像を記録している記録用紙とは用紙サイズが異なった記録用紙へ画像を記録できるように画像のサイズを変更することが頻繁に行われるので、用紙サイズの変更に応じた変更倍率が予め定められている。例えば図３に示す如く、７０％の変更倍率は、用紙サイズをＡ３からＡ４へ又はＢ４からＢ５へ変換することに対応する。光学ズームの倍率を初期値から変更することにより、図３に示す７０％，８２％，８７％，１１５％，１２３％，１４１％の変更倍率を実現できるように、制御部２１は光学ズームを制御する。
【００２４】
本発明の画像読み取り装置１は、光学ズームの主走査方向の倍率の初期値を、１００％から１％以上離れた値に設定してある。更に、制御部２１は、主走査方向の倍率が初期値である光学ズームの下で読み取られた電子画像の主走査方向の大きさを電子ズームにより略１００％へ補正する処理を行う。図４は、光学ズームの倍率の初期値と電子ズームの倍率との設定の例を示す図表である。例えば光学ズームの倍率の初期値を１０８％とし、電子ズームの倍率を９３％とすることによって、総合倍率は１００％となり、原稿画像に対して１００％の大きさの電子画像を生成することができる。このように光学ズームの倍率を１００％から１％以上大きく離れた値に設定しておくことによって、網点原稿の網点の密度と光学系を通したラインセンサ１４のＣＣＤの読み取り精度とが整数倍から大きくずれた状態となるので、網点原稿を読み取る場合にモアレの発生を防止することができる。
【００２５】
また本発明の画像読み取り装置１では、光学ズームの倍率の初期値を１００％から離す設定は主走査方向のみに行っており、副走査方向の光学ズームの倍率の初期値は１００％である。副走査方向では、ライン単位で読み取った画像データをオーバーラップさせて電子画像を生成するので、モアレが発生し難い。従って、副走査方向で光学ズームの倍率の初期値を１００％から離しておく必要はない。副走査方向の光学ズームの調整及び電子ズームによる倍率の補正を行う必要がないので、制御部２１が行う処理の負荷を軽減させることができる。
【００２６】
また本発明の画像読み取り装置１では、光学ズームの主走査方向の倍率の初期値を、予め定められている特定の変更倍率とは異なった値に設定している。図５は、光学ズームの主走査方向の倍率の初期値に対して、特定の変更倍率で光学ズームの倍率を変更した場合の最終的な光学ズームの倍率を示す図表である。図５（ａ）には、光学ズームの主走査方向の倍率の初期値を特定の変更倍率と同じ値に定めた場合の例を示している。例えば、光学ズームの主走査方向の倍率の初期値を変更倍率の内の一つである１１５％に定めた場合は、原稿画像を縮小しようとして８７％の変更倍率で原稿画像を読み取ったときに最終的な光学ズームの主走査方向の倍率が１００％となる。この場合の１００％も完全な１００％に比べて０．２％程度ずれた値であるので、網点原稿の網点の密度と光学系を通したラインセンサ１４のＣＣＤの読み取り精度とが整数倍から微妙にずれた状態となり、網点原稿を読み取る場合にモアレが発生する。このように、光学ズームの主走査方向の倍率の初期値を変更倍率の内の一つに定めている場合はモアレが発生する可能性があるので、本発明では、光学ズームの主走査方向の倍率の初期値は、予め定められている特定の変更倍率とは異なった値に設定されている。図５（ｂ）には、光学ズームの主走査方向の倍率の初期値を特定の変更倍率とは異なった値に定めた場合の例を示している。図５（ｂ）に示す如く、光学ズームの主走査方向の倍率の初期値を特定の変更倍率とは異なった値に定めた場合は、どの変更倍率で原稿画像を読み取っても最終的な光学ズームの主走査方向の倍率が１００％になることがないので、モアレの発生を防止することができる。
【００２７】
更に本発明の画像読み取り装置１では、光学ズームの主走査方向の倍率の初期値を１００％よりも大きい値に設定している。即ち、図４に示した設定例の内、光学ズームの倍率の初期値が１００％よりも大きい値となるような光学ズームの主走査方向の倍率の初期値と電子ズームの倍率との組み合わせが設定されている。光学ズームの倍率の初期値が１００％以下である場合は、電子ズームで倍率を補正する際にデータの補間を行う必要があるので、制御部２１での処理の負荷が大きくなると同時に電子画像の画質が劣化する。特に画像の端部は片側にしかデータが存在しないので補間処理が困難である。光学ズームの主走査方向の倍率の初期値を１００％よりも大きい値に設定することによって、データの間引きによって電子ズームでの倍率の補正が可能となるので、制御部２１での処理を簡素化できると同時に電子画像の画質の劣化を抑制することができる。
【００２８】
なお、本実施の形態においては、本発明の画像読み取り装置１は、光学ズームの倍率を変更可能な構成であるとしたが、これに限るものではなく、光学ズームの倍率が初期値に固定されている簡易な形態であってもよい。また、本実施の形態においては、本発明の画像読み取り装置１は、情報処理装置３に接続された画像読み取り装置であるとしたが、これに限るものではなく、ファクシミリ装置又は複写装置の一部を構成する形態であってもよい。
【図面の簡単な説明】
【００２９】
【図１】本発明の画像読み取り装置の構成例を示す模式的側断面図である。
【図２】本発明の画像読み取り装置の処理系の機能構成を示す機能ブロック図である。
【図３】予め定められている特定の変更倍率の例を示す図表である。
【図４】光学ズームの倍率の初期値と電子ズームの倍率との設定の例を示す図表である。
【図５】光学ズームの主走査方向の倍率の初期値に対して、特定の変更倍率で光学ズームの倍率を変更した場合の最終的な光学ズームの倍率を示す図表である。
【符号の説明】
【００３０】
１  画像読み取り装置
１１  ヘッド部（光学系）
１２  ミラー部（光学系）
１３  レンズ部（光学系）
１４  ラインセンサ（読み取り手段）
２１  制御部（データ処理手段）
３  情報処理装置
【図１】
2005269433.tif 000003
【図２】
2005269433.tif 000004
【図３】
2005269433.tif 000005
【図４】
2005269433.tif 000006
【図５】
2005269433.tif 000007